(57)【要約】【課題】容器本体の上部に開口部を有する芳香剤容器であっても、送風により芳香剤からの香料の拡散量を増加させる事ができる芳香剤容器を提供する。【解決手段】揮発性香料を含む芳香剤１２０を充填するための開口部１２ａを上部に備えた容器本体１２と、開口部１２ａを上部に位置させた状態で容器本体１２を送風装置の吹出し口１００に取り付ける容器取付部１４と、開口部１２ａを覆う蓋体２０と、を有し、蓋体２０は、上部に突出した風向板２２と、風向板２２を挟む位置に形成される第１開口部２４と第２開口部２６を備え、風向板２２の板面が吹出し口１００に対向するように配置されることを特徴とする。【選択図】図１
2018134133.tif 000002
【特許請求の範囲】
【請求項１】
揮発性香料を含む芳香剤を充填するための開口部を上部に備えた容器本体と、
前記開口部を上部に位置させた状態で前記容器本体を送風装置の吹出し口に取り付ける容器取付部と、
前記開口部を覆う蓋体と、を有し、
前記蓋体は、上部に突出した風向板と、前記風向板を挟む位置に形成される第１開口部と第２開口部を備え、前記風向板の板面が前記吹出し口に対向するように配置されることを特徴とする芳香剤容器。
【請求項２】
前記風向板は、前記第１開口部または前記第２開口部のいずれか一方側へ傾斜していることを特徴とする請求項１に記載の芳香剤容器。
【請求項３】
前記風向板は可動部を有し、前記第１開口部または前記第２開口部のうちの少なくとも一方を封止可能な構成としたことを特徴とする請求項１または２に記載の芳香剤容器。
【請求項４】
前記第１開口部または前記第２開口部のうち、前記風向板が傾斜している側の開口には、前記風向板の突出面と反対側の面に延設された筒状体が備えられていることを特徴とする請求項２または３に記載の芳香剤容器。
【請求項５】
前記蓋体は、前記第１開口部と前記第２開口部の間であって、前記風向板の突出面と反対側の面に突出するリブ板を備えていることを特徴とする請求項１乃至３のいずれか１項に記載の芳香剤容器。
【請求項６】
前記蓋体は、前記風向板の突出面と反対側の面に延設された攪拌棒を備えていることを特徴とする請求項１乃至５のいずれか１項に記載の芳香剤容器。
【請求項７】
前記可動部は、前記蓋体の中心を通る回転軸を備えたヒンジであり、
前記風向板は、前記ヒンジを基点として回動し、前記第１開口部及び前記第２開口部の開口度合を調整するダンパであることを特徴とする請求項３に記載の芳香剤容器。
【発明の詳細な説明】
【技術分野】
【０００１】
本発明は、芳香剤の容器に係り、特に自動車内に配置する場合に好適な芳香剤に関する。
【背景技術】
【０００２】
置き型の芳香剤、およびその容器については、様々なものが考案されている。芳香剤容器として知られている代表的な物が、特許文献１に開示されている。特許文献１に開示されている容器は、芳香剤を収容するための容器本体と蓋体を備えることを基本とする構造である。特許文献１では、芳香剤について潮解性物質を採用するという点から、容器本体は、潮解性物質を収容するスペースと、潮解性物質が溶解する事で生ずる液体を収容するスペースを備える構成としている。この容器本体では、収容した芳香剤の香料の揮発成分の発散を容器本体の上部に設けた開口部から行う形態と、容器本体の側壁から行う形態が考慮されている。
【０００３】
容器本体の上部に設けた開口部から香料の発散を行う場合、芳香剤がこぼれる事を防止するための蓋体に、スリット等の開口部を設ける構成としている。また、容器本体の側壁から香料の発散を行う場合には、容器本体の側壁に直接スリットを設ける構成としている。
【先行技術文献】
【特許文献】
【０００４】
【特許文献１】特開平８−１３１５２９号公報
【発明の概要】
【発明が解決しようとする課題】
【０００５】
こうした芳香剤では、香料を広く、拡散させたい場合には、香料が揮発する部位に風を当てる事が常套手段とされている。容器の側壁にスリットが設けられているような構成の場合、送風装置等により送られた気流が直接芳香剤に当たるため、香料の揮発性を高め、その拡散量を増加させることができる。しかし、容器の側壁にスリットを形成する場合、内容物とされる芳香剤の形態が固形物に制限されることとなり、液状や粒状、あるいはゲル状の芳香剤等を使用する場合には、容器の上部に開口を有する者を用いる事が必須となる。
【０００６】
しかしながら、容器の上部に開口部を有する容器本体の場合、送風装置等により送られた気流は蓋体の上部を撫でるように流れるため、香料の拡散量を増やす事が難しいといった問題がある。
【０００７】
そこで本発明では、容器本体の上部に開口部を有する芳香剤容器であっても、送風により芳香剤からの香料の拡散量を増加させる事ができる芳香剤容器を提供する事を目的とする。
【課題を解決するための手段】
【０００８】
上記目的を達成するための本発明の芳香剤容器は、揮発性芳香剤を充填するための開口部を上部に備えた容器本体と、前記開口部を上部に位置させた状態で前記容器本体を送風装置の吹出し口に取り付ける容器取付部と、前記開口部を覆う蓋体と、を有し、前記蓋体は、上部に突出した風向板と、前記風向板を挟む位置に形成される第１開口部と第２開口部を備え、前記風向板の板面が前記吹出し口に対向するように配置されることを特徴とする。
【０００９】
また、上記のような特徴を有する芳香剤容器において前記風向板は、前記第１開口部または前記第２開口部のいずれか一方側へ傾斜しているようにすると良い。このような構成とする事により、風向板が風上側へ傾斜している場合には、気流を効果的に容器本体の内部へ導く事ができる。一方、風向板が風下側へ傾斜している場合には、風向板を越える気流の流れによって、傾斜側に位置する開口部近傍に負圧領域が生じる。これにより、容器本体内部の気体が引き出される。よって、いずれの場合にも、容器本体内部に充填した芳香剤からの香料の拡散量を増加させる事ができる。
【００１０】
また、上記のような特徴を有する芳香剤容器では、前記風向板は可動部を有し、前記第１開口部または前記第２開口部のうちの少なくとも一方を封止可能な構成とすることができる。このような構成とする事により、容器本体の内部に送り込む風量を調整する事が可能となる。よって、香料の拡散量の調整を行う事ができる。また、風向板によりいずれか一方の開口部を封止した場合には、香料の拡散量を低下させ、不使用時における香料の揮発量を下げる事ができる。よって、芳香剤の効果を長持ちさせる事ができる。
【００１１】
また、上記のような特徴を有する芳香剤容器では、前記第１開口部または前記第２開口部のうち、前記風向板が傾斜している側の開口には、前記風向板の突出面と反対側の面に延設された筒状体が備えられているようにしても良い。このような構成とする事により、風向板により一方の開口部に導かれた気流は、容器本体内部に充填されている芳香剤の深部にまで送り込まれ、容器内部に噴出する。このため、香料の揮発量を増加させ、これを含んだ気流として他方の開口部から排出されることとなる。
【００１２】
また、上記のような特徴を有する芳香剤容器において前記蓋体は、前記第１開口部と前記第２開口部の間であって、前記風向板の突出面と反対側の面に突出するリブ板を備えるようにしても良い。このような構成とする事により、風向板により一方の開口部に導かれた気流は、リブ板に衝突する事で容器本体に充填された芳香剤近傍、あるいは芳香剤内部に逃げる事となる。これにより、香料の揮発成分を多く含んだ気流として他方の開口部から排出されることとなる。
【００１３】
さらに、上記のような特徴を有する芳香剤容器において前記蓋体は、前記風向板の突出面と反対側の面に延設された攪拌棒を備えるようにする事もできる。このような構成とする事により、蓋体を回転させる事により、容器本体に充填した芳香剤に触れる事なく、芳香剤を攪拌する事ができる。
【００１４】
さらにまた、上記のような特徴を有する芳香剤容器において前記可動部は、前記蓋体の中心を通る回転軸を備えたヒンジであり、前記風向板は、前記ヒンジを基点として回動し、前記第１開口部及び前記第２開口部の開口度合を調整するダンパとする事もできる。このような構成とする事であっても、容器本体の内部に気流を誘導し、香料の拡散量を増加させるという効果を得る事ができ、かつその量を調整することができる。
【発明の効果】
【００１５】
上記のような特徴を有する芳香剤容器によれば、容器本体の上部に開口部を有する芳香剤容器であっても、送風により芳香剤からの香料の拡散量を増加させる事ができる。
【図面の簡単な説明】
【００１６】
【図１】第１の実施形態に係る芳香剤容器の構成を示す側断面図である。
【図２】第１の実施形態に係る芳香剤容器の構成を示す分解断面図である。
【図３】第１の実施形態に係る芳香剤容器の第１の変形例を示す図である。
【図４】第１の実施形態に係る芳香剤容器の第２の変形例を示す図である。
【図５】第２の実施形態に係る芳香剤容器の構成を示す側断面図である。
【図６】第２の実施形態に係る芳香剤容器の変形例を示す図である。
【図７】第３の実施形態に係る芳香剤容器の構成を示す側断面図である。
【図８】第４の実施形態に係る芳香剤容器の構成を示す側断面図である。
【図９】第５の実施形態に係る芳香剤容器の構成を示す側断面図である。
【発明を実施するための形態】
【００１７】
以下、本発明の芳香剤容器に係る実施の形態について、図面を参照して詳細に説明する。なお、以下の実施形態では、芳香剤容器を配置する対象物である送風装置として自動車のエアコンを採用し、その吹き出し口に取り付ける場合を例に挙げて説明する。
【００１８】
［第１の実施形態：構成］
まず、図１、図２を参照して、第１の実施形態に係る芳香剤容器１０について説明する。なお、図１は、芳香剤容器の使用状態における断面図を示し、図２は、芳香剤容器を分解した状態の断面図を示す。
【００１９】
本実施形態に係る芳香剤容器１０は、容器本体１２と、容器取付部１４、および蓋体２０を基本として構成されている。容器本体１２は、揮発性を有する芳香剤１２０を充填するための容器である。容器本体１２は、その上部に、芳香剤１２０を充填するために用いる開口部１２ａを備えているものであれば良く、具体的な大きさや形態、および材質については限定する必要は無い。芳香剤１２０を充填するという役割を果たす事ができれば良いためである。
【００２０】
具体的な形態の一例としては、図１、図２に示すように、開口部１２ａ近傍に括れを持つ壺型とすると良く、その材質はガラス等、透光性素材とすると良い。このような形態とする事で、その形態についてインテリアとしてのデザイン性を得る事ができる。また、透光性素材により構成する事で、容器本体１２の内部に充填した芳香剤１２０を視認する事ができる。これにより、芳香剤１２０自体に視覚的な特徴がある場合には、それ自体をデザインとして楽しむ事ができる。また、芳香剤１２０が昇華や溶融により変化する場合には、その変化に基づく交換、追加の時期を知る事ができるようになる。
【００２１】
なお、容器本体１２に充填する芳香剤１２０については、その材質や形態、その他の特性を限定するものでは無い。よって、図１に示すような粒状の物の他、固形状、液状、ゲル状、その他特定形状の物質に香料を含浸させたものなど、種々の物を適宜選択する事ができる。
【００２２】
容器取付部１４は、容器本体１２を送風装置の吹き出し口１００に取り付ける事ができれば、その具体的形態を問うものでは無い。なぜならば、容器取付部１４の形態は、容器本体１２の形状や重量等により、それぞれ適した形態や強度を持つように取捨選択する事が可能だからである。図１に示す例は、送風装置であるエアコンの吹き出し口１００に設けられたルーバー１１０を挟持可能なクリップ１６と、このクリップ１６に接続されると共に、容器本体１２を保持する役割を担うホルダ１８とより構成されている。
【００２３】
蓋体２０は、容器本体１２の開口部１２ａを覆う事で、内容物（芳香剤１２０）がこぼれる事を抑止すると共に、容器本体１２からの香りの拡散を図るための役割を担う。本実施形態に係る蓋体２０は、図１、図２に示すように、蓋体２０の上部側主面を分断するように設けられた風向板２２と、この風向板２２により分断された各エリアに形成された第１開口部２４と第２開口部２６を備えている。
【００２４】
風向板２２は、エアコンの吹き出し口１００からの風の流れを変化させる役割を担う要素である。本実施形態では、風向板２２が第１開口部２４側に傾斜するように設けられている。風向板２２の傾斜方向を風上側へ向ける事により、風向板２２に当たった風が、第１開口部２４を介して容器本体１２の内部へ積極的に取り入れられることとなる。容器本体１２の内部へ取り込まれた空気は、容器本体１２の内部で循環、あるいは充填物である芳香剤１２０の上部に沿うように通過した後、第２開口部２６から容器本体１２の外部へ排出されることとなる。これにより、容器本体１２の内部に充填された芳香剤１２０からの香料の拡散量を増加させる事が可能となる。
【００２５】
［作用、効果］
次に、上記のような構成の芳香剤容器１０の使用方法と効果について、具体的に説明する。まず、容器本体１２の開口部１２ａから芳香剤１２０を充填する。芳香剤１２０については、液体、固体、含浸体、ゲル状体等、具体的な形態は問わないが、揮発性成分を有する香料とする。芳香剤１２０の一例として、容器本体１２を透光性素材により形成した場合に、その取扱い性と、充填時のデザイン性が良好な芳香剤１２０としては、例えばゼオライトなどの多孔性素材に揮発性香料を含浸させた粒状体を挙げる事ができる。
【００２６】
芳香剤１２０の充填が終了した後、開口部１２ａに蓋体２０をセットし、容器取付部１４を介してエアコンの吹出し口１００のルーバー１１０に取り付ける。この時、蓋体２０に設けられた風向板２２の傾斜方向が、エアコンの吹き出し口１００の方向へ向くようにする。容器本体１２の内部に風を効果的に取り込むためである。
【００２７】
このように配置された芳香剤容器１０では図１に示すように、エアコンの吹出し口１００から噴出される風は、第１開口部２４を介して容器本体１２の内部に積極的に取り込まれる。容器本体１２の内部に取り込まれた風は、芳香剤１２０から揮発した香料と共に第２開口部２６から容器本体１２の外部へ排出される。
【００２８】
このように、本実施形態に係る芳香剤容器１０によれば、容器本体１２の上部に開口部１２ａを備えたものでありながら、送風により香料を効果的に拡散する事ができる。
【００２９】
［変形例１］
上記実施形態では、蓋体２０に備えた風向板２２は、その傾斜方向がエアコンの吹出し口１００側（風上側）を向くように配置する旨記載した。しかしながら本実施形態に係る芳香剤容器１０では、図３に示すように、風向板２２の傾斜方向がエアコンの吹出し口１００と反対側（風下側）を向くように配置した場合であっても、次のような効果を得る事ができる。
【００３０】
すなわち、エアコンから吹き出して、傾斜した風向板２２を乗り越える風は、その流速が上昇する。そして、風向板２２の反対側（図３に示す破線で示す箇所）には、流速差によって負圧領域Ａが生じる。このため、容器本体１２の内部の空気は、負圧によって引き出されることとなる。このため、本実施形態に係る芳香剤容器１０では、風向板２２の向きを反対側にセットした場合であっても、風向板２２が無い場合に比べて、香料の拡散量を増加させる事が可能となる。
【００３１】
［変形例２］
また、上記実施形態では、蓋体２０は、容器本体１２の開口部１２ａに対して嵌め込み（嵌合）によりセットされるように図示している。しかしながら、蓋体２０の取付形式は、嵌め込み形式に限られない。例えば、容器本体１２の開口部１２ａにネジ山が形成されていた場合には、蓋体２０の取付形式を螺合としても良い。
【００３２】
蓋体２０の取り付け形式を変えた場合であっても、芳香剤容器１０としての機能や、その効果について大きな差は生じないからである。
【００３３】
［第２の実施形態］
次に、図５を参照して、本発明の芳香剤容器に係る第２の実施形態について説明する。
本実施形態に係る芳香剤容器１０Ａも、容器本体１２や、容器取付部１４（図１、図２参照）の構成は、上述した第１の実施形態に係る芳香剤容器１０と相違が無い。よって、その機能を同一とする箇所には、図面に同一符号を附して、詳細な説明は省略することとする。
【００３４】
第１の実施形態に係る芳香剤容器１０との相違点は、蓋体２０における風向板２２の形態にある。本実施形態に係る芳香剤容器１０Ａの蓋体２０の風向板２２は、その基点に可動部としてのヒンジ２８を備え、その傾斜角度を変化させる事ができるように構成されている。
【００３５】
このような構成とすることで、容器本体１２の内部へ導入する風量を調整する事が可能となる。よって、拡散させる香りの強さ（香料の拡散量）の調整が可能となる。
【００３６】
また、本実施形態の芳香剤容器１０Ａでは、風向板２２の傾斜角度を０度とする事で、第１開口部２４を閉塞する事もできる。このような形態とした場合、香料の拡散量を減らす他、不使用時における香料の揮発量を抑制することができる。これにより、芳香剤１２０の効果を長持ちさせることができる。
【００３７】
［変形例］
また、上記実施形態では、風向板２２の可動部としてのヒンジ２８は、風向板２２の基部に備えられる構成としている。しかし、風向板２２の可動部は図６に示すように、蓋体２０の中心を通る回転軸を備えたヒンジ２８とし、風向板２２の中心に備えるようにしても良い。
【００３８】
ヒンジ２８の位置をこのように調整する事で風向板２２は、その回動により第１開口部２４と第２開口部２６双方の開口度合を調整することのできるダンパとして機能することとなる。風向板２２の構成をこのようなものとした場合であっても、容器本体１２の内部に気流を誘導し、香料の拡散量を増加させるという効果を得る事ができ、かつその量を調整することができる。なお蓋体２０は、回転軸の軸心と気流の流れ方向とが直交するように容器本体１２に配置すると良い。また、このような構成とする事により風向板２２は、その回転軸により第１開口部２４と第２開口部２６を隔てることとなり、かつ開口部１２ａを覆う封止部材としての役割を担うこととなる。よって、不使用時における香料の揮発量を抑制する効果を高めることができる。
【００３９】
［第３の実施形態］
次に、図７を参照して、本発明の芳香剤容器に係る第３の実施形態について説明する。
本実施形態係る芳香剤容器１０Ｂも、容器本体１２や、容器取付部１４（図１、図２参照）の構成は、上述した第１の実施形態に係る芳香剤容器１０と相違が無い。よって、その機能を同一とする箇所には、図面に同一符号を附して、詳細な説明は省略することとする。
【００４０】
第１の実施形態に係る芳香剤容器１０との相違点は、蓋体２０における風向板２２の突出面と反対側の面（下部側主面）に、筒状体３０を延設した点にある。本実施形態では、蓋体２０において、風向板２２の傾斜方向に位置する第１開口部２４の流路上に、容器本体１２の内部へ向けて伸びる筒状体３０を備える構成としている。
【００４１】
このような構成とすることで、風向板２２の作用により第１開口部２４へ誘導された気流が、筒状体３０の内部を通って容器本体１２の内部へ到達する事となる。図７において芳香剤１２０の充填量を二点鎖線で示した高さとすると、風向板２２を介して導入された気流は、芳香剤１２０の深部から噴出された後、第２開口部２６から排出されることとなる。このため、芳香剤１２０からの香料の拡散量を増加させることができる。
【００４２】
［第４の実施形態］
次に、図８を参照して、本発明の芳香剤容器に係る第４の実施形態について説明する。
本実施形態係る芳香剤容器１０Ｃも、容器本体１２や、容器取付部１４（図１、図２参照）の構成は、上述した第１の実施形態に係る芳香剤容器１０と相違が無い。よって、その機能を同一とする箇所には、図面に同一符号を附して、詳細な説明は省略することとする。
【００４３】
第１の実施形態に係る芳香剤容器１０との相違点は、蓋体２０における風向板２２の突出面と反対側の面（下部側主面）に、リブ板３２を備えた点にある。
【００４４】
蓋体２０の下部側主面にリブ板３２を備える構成とする事で、風向板２２の作用により容器本体１２の内部へ誘導された気流を効果的に芳香剤１２０側へ促す事ができる。これにより、芳香剤１２０からの香料の拡散量の増大に寄与することができる。
【００４５】
［第５の実施形態］
次に、図９を参照して、本発明の芳香剤容器に係る第５の実施形態について説明する。
本実施形態係る芳香剤容器１０Ｄも、容器本体１２や、容器取付部１４（図１、図２参照）の構成は、上述した第１の実施形態に係る芳香剤容器１０と相違が無い。よって、その機能を同一とする箇所には、図面に同一符号を附して、詳細な説明は省略することとする。
【００４６】
第１の実施形態に係る芳香剤容器１０との相違点は、蓋体２０における風向板２２の突出面と反対側の面（下部側主面）に、攪拌棒３４を備えた点にある。
【００４７】
蓋体２０の下部側主面に備える攪拌棒３４は、容器本体１２に蓋体２０を装着した際に攪拌棒３４が内部に充填された芳香剤１２０に埋もれる長さとなるように構成する。このような構成とする事で、蓋体２０を矢印Ｂで示すように回転させる事で、容器本体１２の内部に充填された芳香剤１２０に手を触れる事無く、芳香剤１２０を攪拌する事ができる。
【００４８】
このため、芳香剤１２０の表面からの香料の拡散量が減った際、蓋体２０を回転させて充填された芳香剤１２０を攪拌する事で、香料の枯渇が少ない部分に風が当たるようにする事ができる。よって、香料の拡散量の増大に寄与することができる。
【産業上の利用可能性】
【００４９】
上記実施形態では、芳香剤１２０を充填した芳香剤容器１０は、エアコンの吹き出し口１００、特に自動車内部のエアコンの吹き出し口１００に取り付けるように記載している。しかしながら、本発明に係る芳香剤容器１０は、扇風機等、エアコン以外の送風装置に取り付けて使用する事もできる。
【符号の説明】
【００５０】
１０，１０Ａ，１０Ｂ，１０Ｃ，１０Ｄ………芳香剤容器、１２………容器本体、１２ａ………開口部、１４………容器取付部、２０………蓋体、２２………風向板、２４………第１開口部、２６………第２開口部、２８………ヒンジ、３０………筒状体、３２………リブ板、３４………攪拌棒、１００………吹き出し口、１１０………ルーバー、１２０………芳香剤。
【図１】
2018134133.tif 000003
【図２】
2018134133.tif 000004
【図３】
2018134133.tif 000005
【図４】
2018134133.tif 000006
【図５】
2018134133.tif 000007
【図６】
2018134133.tif 000008
【図７】
2018134133.tif 000009
【図８】
2018134133.tif 000010
【図９】
2018134133.tif 000011